(57)【要約】      （修正有）【課題】加工時間を節約する効果と製造コストをダウンさせる効果と電気消費量を減少する効果を獲得できる光源基板構造を提供する。【解決手段】電気回路基板２と、発光セット３と、反射片４とを備え、バック・ライト・モジュールに配置される光源基板１において、前記発光セットが前記電気回路基板に配置され、前記反射片が前記電気回路基板における、前記発光セットの出射する光線の経過する経路の表面に配置され、前記反射片を配置することによって電気回路基板近傍の光線を前記バック・ライト・モジュールに入射可能にする。【選択図】図２
0003101616.tif 000002
【実用新案登録請求の範囲】
【請求項１】
電気回路基板と、発光セットと、反射片とを備え、バック・ライト・モジュールに配置される光源基板構造であって、
前記発光セットが前記電気回路基板に配置され、前記反射片が前記電気回路基板における、前記発光セットの出射する光線の経過する経路の表面に配置され、前記反射片を配置することによって電気回路基板近傍の光線を前記バック・ライト・モジュールに入射可能にすることを特徴とする光源基板構造。
【請求項２】
前記電気回路基板として深い色に形成される板体を使用することを特徴とする請求項１に記載の光源基板構造。
【請求項３】
前記反射片として浅い色の長い矩形薄板を使用することを特徴とする請求項１に記載の光源基板構造。
【請求項４】
前記発光セットには、複数個の発光ダイオード同士と複数個の抵抗同士と二本の電気ワイヤ同士とを有し、前記発光ダイオード同士と前記抵抗同士とが均一的に前記電気回路基板に配置分布され、前記二本の電気ワイヤ同士が前記電気回路基板の両端部に配置されることを特徴とする請求項１に記載の光源基板構造。
【請求項５】
前記反射片において、前記発光ダイオード同士に対応する位置には複数個の切り欠きが形成され、それらの切り欠きが前記発光ダイオード同士の位置に正しく向かうと共に、前記反射片が前記発光ダイオード同士の出射する光線の経過経路の電気回路基板における表面に配置されることを特徴とする請求項４に記載の光源基板構造。
【考案の詳細な説明】
【技術分野】
【０００１】
本考案は、光源基板構造に係わり、特にバック・ライト・モジュールの分野に利用され、バック・ライト・モジュールの所要する光源を提供し、光源の強度を向上できる、光源基板構造に関するものである。
【背景技術】
【０００２】
さて、サイエンス・テクニック産業の盛んな発展にしたがって、多くの装置と家庭電気製品とコンピュータ製品などの製品が人間の生活と密接的なつながり関係を有するようになっており、その中、それらの製品に配置される表示装置が最も直接的に人間とインターアクトとコミュニケーションを生成する大切なメディアとなっており、従来の表示装置は大部分が電子ビームによって光線やイメージを曲面または平面に投影して表示するものが多く、しかしながら、電子ビームの特性に影響されて、それらの表示装置の映像間の体積があまりにも膨大であり、かなりスペースを占用してしまい、現代では人間の数があまりにも多く、特に発展が繁栄で人口が密集している都市や国家などでは、それぞれの人々の擁する、使用可能なスペースにはかなり有限であり、そのため、膨大な体積を有する表示装置がますます人々に嫌われるようになってしまう。
【０００３】
そのため、バック・ライト・モジュール・テクニックを結合した表示装置が盛んに発展してゆき、例えば、近年では開発されてきた液晶テレビが、その厚さが従来のテレビ装置の三分の一以下にもなり、スペースを大幅に節約でき、生活空間のアレンジをさらに柔軟にでき、また、ますます普及されてゆくノートブック・タイプ・コンピュータ装置のように、表示装置の重量と体積が革新されるため、ノートブック・タイプ・コンピュータ装置に軽薄短小と携帯便利の優れた点を付与できるようになっている。また、デスクトップ・タイプ・コンピュータ装置の使用する液晶表示器も価格がますます合理化する状況の中でだんだん普及されてゆき、卓上の空間を大幅に増加できる優れた点を有する。また、表示装置の体積を効果的に縮小する場合、周りの視覚とコマーシャルとをさらに美化させ、且つ多変化させることができ、また、スキャナーに利用する場合では、スキャニング操作の品質を向上できる。
【０００４】
しかしながら、前記のバック・ライト・モジュールは大体ベースと反射部材と発光ユニットと光線案内板と拡散板などの液晶モジュールの部材からなり、その構造と従来のバック・ライト・モジュールの構成部材と構造とが同じであり、本考案の請求する範疇ではなく、そのため、それらのバック・ライト・モジュールの全体の構成部材と構造とそれらの部材間の接続方式などについてくどくどしい説明を省略する。そのため、図１に示すように、従来のバック・ライト・モジュールにおける光源基板８と光線案内板９の構造はその分解斜視図に示すように、その光源基板８が電気回路基板８０と、その電気回路基板８０に配置される複数個の発光ダイオード同士８１と、抵抗８２とからなり、また、光線案内板９が長矩形に形成される、扁平状の透明板体であり、光源基板８が光線案内板９の狭くて長い側面部に配置される。
【０００５】
しかしながら、前記に述べた光源基板８が電気回路基板８によって形成されるものであり、従来の大部分の電気回路基板８０が製造終了後にその表面が黒緑色や他の深まる色に形成されるので、発光ダイオード８１が通電されて発光する場合に、光学の特性によって、電気回路基板８０の近傍における光線が容易に深い色の電気回路基板８０に吸収されてしまい、光線案内板９へ反射できなくなり、バック・ライト・モジュールに導入されることができなくなってしまう。
【０００６】
前記の説明から分かるように、前記の従来の光源基板は、実際の使用において、発光ダイオードの発光する光線をフルに利用できないので、明らかにエネルギー利用率を劣化する欠点を有し、改善される必要がある。
【考案の開示】
【考案が解決しようとする課題】
【０００７】
本考案は、独特な反射片を配置することによって光源基板の出射する光線をフルに光線案内板に入射させ、且つバック・ライト・モジュールに案内し、バック・ライト・モジュールの全体の光線差出表面の均一さと輝度とを向上する効果を達成し、光源基板に配置される発光ダイオードの数を節約化可能にし、本考案に加工時間節約効果と製造コスト節約効果と電気消費量減少効果などを付与するようにした、光源基板構造を提供することをその主要な解決しようとする課題とする。
【課題を解決するための手段】
【０００８】
前記の課題を解決するために、本考案は、電気回路基板と発光セットと反射片とを備え、その中、前記発光セットが前記電気回路基板に配置され、また、前記反射片が前記発光セットの出射する光線の経過経路の前記電気回路基板における表面に配置されるようにした光源基板構造を提供する。
【０００９】
本考案の特徴と技術内容をさらに詳しく説明するために、以下に添付図面を参照しながら本考案の好適な実施の形態を詳細で具体的に説明するが、それらの説明による具体的な構造は単に説明に利するものであり、本考案の主張範囲を狭義的に定義するものではないことが言うまでもない。
【考案を実施するための最良の形態】
【００１０】
図２ないし図４に示すように、本考案は、光源基板構造を提供し、光源基板１には電気回路基板２と発光セット３と反射片４とを備えており、その中、電気回路基板２は黒緑色や他の深まる色に形成される板体である。他に、発光セット３には複数個の発光ダイオード３１と複数個の抵抗３１と二本の電気ワイヤ３２とを有し、その中、発光ダイオード同士３０と抵抗３１とが均一的に電気回路基板２に配置され、二本の電気ワイヤ３２が電気回路基板２の両端部に配置される。
【００１１】
また、反射片４が白いまたは他の浅い色の長い矩形薄板を使用し、それには良好な光線反射効果を有し、且つ発光ダイオード同士３０に対応する位置には複数個の切り欠き４０が形成され、それらの切り欠き４０が発光ダイオード同士３０の位置に正しく向かうと共に、反射片４を発光ダイオード同士３０の出射する光線の経過経路の電気回路基板２における表面に配置し、前記のそれぞれの部材とそれらの対応する配置によって本考案の光源基板構造を形成する。
【００１２】
図５と図６に示すのは、それぞれ本考案の光源基板１と光線案内板５とを結合して使用する状況を示す分解斜視図と、光線基板１の使用中の光線を出射することを示す正面図である。光源基板１が光線案内板５の側面部に配置され、光源基板１の二本の電気ワイヤ３２が電源を接続して作用する場合では、発光ダイオード同士３０が点光源を形成して光線を光線案内板５に出射し、大部分の光線が直接的に前記バック・ライト・モジュールに導入され、電気回路基板２の近傍の光線が光源基板１の表面における反射片４に入射され、その反射片４が良好な反射作用を有するため、反射片４に入射される光線が光線案内板５に反射され、且つ前記バック・ライト・モジュールに案内され、光線案内板５の外側に包まれる反射部材５０より反射されてきた光線も反射片４によって反射して光線案内板５に入射させることができる。そのため、光源基板１の出射する光線がフルに前記バック・ライト・モジュールに導入され、前記バック・ライト・モジュールの全体の光線出射表面の均一さと輝度を向上できる効果を達成でき、光源基板１に配置される発光ダイオード同士３０の点数を減少でき、本考案に加工時間を節約する効果と製造コストをダウンさせる効果と電気消費量を減少する効果を獲得させることができる。
【産業上の利用可能性】
【００１３】
そのため、本考案の光源基板構造を利用する場合、次のような優れた点を有する。
（１）バック・ライト・モジュールの全体の光線差出表面の均一さと輝度を向上できる効果を提供できる。
（２）光源基板に配置される発光ダイオード同士の点数を減少でき、加工時間を節約する効果と製造コストをダウンさせる効果と電気消費量を減少する効果を獲得できる。
【００１４】
また、前記に説明した具体的な構造は単に本考案のある実施可能な実施例に過ぎず、本考案の明細書と実用新案登録請求の範囲の要旨に基づいて実行されるすべての改造や変更や一部転用などがすべて本考案の主張範囲内に納入されるべきことが言うまでもない。
【図面の簡単な説明】
【００１５】
【図１】従来の光源基板と光線案内板のことを示す分解斜視図である。
【図２】本考案の光源基板構造を示す分解斜視図である。
【図３】本考案の光源基板構造を示す組立斜視図である。
【図４】本考案の光源基板構造の他の角度より観察する場合の様子を示す組立斜視図である。
【図５】本考案の光源基板構造の使用状態を示す分解斜視図である。
【図６】本考案の光源基板構造の使用状態とその出射光線の経路を示す正面図である。
【符号の説明】
【００１６】
１      光源基板
２      電気回路基板
３      発光セット
４      反射片
５      光線案内板
３０    発光ダイオード同士
３１    抵抗
３２    電気ワイヤ
４０    切り欠き
５０    反射部材
【図１】
0003101616.tif 000003
【図２】
0003101616.tif 000004
【図３】
0003101616.tif 000005
【図４】
0003101616.tif 000006
【図５】
0003101616.tif 000007
【図６】
0003101616.tif 000008